(57)【特許請求の範囲】
【請求項１】
座（１）と、背凭れ（２）と、施療手段（３）とを具備してなり、施療手段（３）を、着座者の背面側をマッサージし得る施療子（３１ａ）を有した施療機（３１）と、この施療機（３１）を最高位置と最低位置との間で昇降往復動させることができる昇降機構（３２）とを備えたものとしているマッサージチェアにおいて、前記施療手段（３）を、最高位置と最低位置との間において施療機（３１）が上昇可能な上限位置（Ｍ）を着座者が設定できるようにするとともに施療機（３１）が前記上限位置（Ｍ）と最低位置との間でのみ昇降往復動させることができるようにする施療範囲設定手段（４）を備えたものとし、前記昇降機構（３２）を、上下に延びる案内レール部材（３２ａ）と、施療機（３１）に一体的に設けてあるととも前記案内レール部材（３２ａ）に係り合わせてある昇降駆動部（３２ｂ）とからなるものとし、前記施療範囲設定手段（４）を、施療機（３１）の上端部に設けた運動方向切換えスイッチ（４１）と、施療機（３１）が上限位置（Ｍ）に位置した際に前記運動方向切換えスイッチ（４１）を上方から入力することができるように所定の待機位置に待機させあるリミットスイッチ（４２）と、このリミットスイッチ（４２）の待機位置を施療機（３１）の昇降方向に沿ってスライド移動することを可能にする位置設定手段（４３）とからなるものとし、前記位置設定手段（４３）を、肘掛けに所定方向に沿ってスライド移動可能に設けた操作レバー（４３ａ）と、この操作レバー（４３ａ）とリミットスイッチ（４２）とをつないで操作レバー（４３ａ）のスライド移動をリミットスイッチ（４２）のスライド移動に変換する変換手段（４３ｂ）とから構成したものとし、前記変換手段（４３ｂ）を、操作レバー（４３ａ）とリミットスイッチ（４２）とをつなぐベルト部材（Ｖ）を案内車（Ｃ１）に掛けとめてなるものとしたことを特徴とするマッサージチェア。
【発明の詳細な説明】
【０００１】
【発明の属する技術分野】
本発明は、着座者の背面側を施療し得る施療子を有したマッサージチェアに関するものである。
【０００２】
【従来の技術】
従来より、着座者の背面側をマッサージし得る施療手段を備えたマッサージチェアが知られている。通例、前記施療手段は着座者の背面側を押圧できる施療子を有した施療機と、この施療機を既定された最高位置と最低位置との間において昇降往復動させることができる昇降機構とから構成されており、着座者の背、肩及び腰の上半身を施療子によりマッサージできるようにしてある。なかには、前記施療子が着座者に対して揉みマッサージや叩きマッサージ等を行えるようにする揺動駆動部を施療機に組み込んでいるものもある。
【０００３】
【発明が解決しようとする課題】
しかしながら、施療機が既定された最高位置と最低位置との間において昇降往復動するものであると、着座者にしてみれば施療機によりマッサージされる施療範囲は座高等の自身の体格に依存したものとなってしまう。具体的に述べれば、例えば着座者の座高が低い場合にあっては施療子が着座者の肩位置より上のところで空揉みや空叩きをする等の無駄が生じることがあり、逆に着座者の座高が高い場合にあっては施療子が着座者の肩位置まで到達せず十分なマッサージ効果を与えられないことがある。この問題点はこの種のマッサージチェアにおいては共通して在るものであり、種々の改良品が製品化されているが、より有用な解決手段が望まれている。
【０００４】
【発明が解決しようとするための手段】
そこで、本願発明は、最高位置と最低位置との間で昇降可能に設けてある施療機の上昇可能な上限位置を着座者が自ら設定できるようにすることにより、施療機によりマッサージされる施療範囲を設定できるようにし、これにより施療子による施療範囲が自身の体格に依存したものとならないようにしたものである。
【０００５】
すなわち、本発明は、座と、背凭れと、施療手段とを具備してなり、施療手段を、着座者の背面側をマッサージし得る施療子を有した施療機と、この施療機を最高位置と最低位置との間で昇降往復動させることができる昇降機構とを備えたものとしているマッサージチェアにおいて、前記施療手段を、最高位置と最低位置との間において施療機が上昇可能な上限位置を着座者が設定できるようにするとともに施療機が前記上限位置と最低位置との間でのみ昇降往復動させることができるようにする施療範囲設定手段を備えたものとしたものである。
【０００６】
ここで、本発明における施療範囲設定手段が、着座者が「自ら」施療機の昇降上限位置を設定できるようにするものであるところに注目すべき点がある。すなわち、本発明のマッサージチェアは、施療機が上限位置に位置した際に施療子が着座者の肩位置に位置するように設定することができるだけでなく、施療機が上限位置に位置した際に例えば施療子が腰部等の肩位置以外のところに位置するように設定して要望する部位を集中的に施療することができるようにしたものである。
【０００７】
そして、具体的な実施の態様としては、昇降機構が、上下に延びる案内レール部材と、施療機に一体的に設けてあるとともに前記案内レール部材に係り合わせたものである昇降駆動部とからなるものであり、施療範囲設定手段が、施療機の上端部に設けた運動方向切換えスイッチと、施療機が上限位置に位置した際に前記運動方向切換えスイッチを上方から入力することができるように所定の待機位置に待機させあるリミットスイッチと、このリミットスイッチの待機位置を施療機の昇降方向に沿ってスライド移動することを可能にする位置設定手段とからなるものが挙げられる。そして、この場合にあっては、位置設定手段により昇降上限位置を無段階に設定することができるようになり、昇降上限位置の微調整を可能とするようになる。
【０００８】
そして、位置設定手段が、肘掛けに所定方向に沿ってスライド移動可能に設けた操作レバーと、この操作レバーとリミットスイッチとをつないで操作レバーのスライド移動をリミットスイッチのスライド移動に変換する変換手段とから構成したものであり、前記変換手段が、操作レバーとリミットスイッチとをつなぐベルト部材を案内車に掛けとめてなるものであれば、手動により上限位置を設定できるようになり位置設定手段のために別段の駆動源を設けることを不要とできる。また、操作レバーのスライド移動量がリミットスイッチのスライド移動量に直結したものとなるので、昇降上限位置の設定を良好に行えるようになる。
【０００９】
【発明の実施の形態】
次に本発明の実施の形態を、図１〜図４を参照して説明する。
【００１０】
図１に示すものは、座１と、この座１の後端部に設けた背凭れ２と、これら座１及び背を支持する背座支持体５と、着座者をマッサージし得る施療手段３とを有したマッサージチェアである。
【００１１】
各部を詳述すると、座１は、左右から側板６により挟み込んである。この側板６は、若干幅寸法を有するとともに上面６１が座面１１より高い位置にあり、着座者の肘掛けとしての役割を果たすものである。なお、座１の前方にバイブレータや回転ローラ等を備えたオットマンを設けてもよい。
【００１２】
背凭れ２は、背凭れ本体２１とこの背凭れ本体を包む張り地２２とからなるものであり、通常位置と後傾位置との間で前後に傾動動作が行えるようにしてある。そして、ガスダンパー等の伸縮部材Ｇにより当該背凭れ２には、通常位置へ復帰しようとする復帰力を与えている。
【００１３】
背座支持体５は、側方視Ｌ字型をなすベース５１を具備する。このベース５１の後端部には、ローラＲが取り付けてある。このローラＲは下端がフレーム部材５１の下端と略同一高さに位置するようにしてあり、マッサージチェアを後に傾けることによりこのローラＲのみを床面に接させて、マッサージチェアを移動させ得るようにしてある。
【００１４】
施療手段３は、背凭れ本体２１の内部に設けた施療機３１と、この施療機３１を最高位置と最低位置との間で昇降往復動させることができる昇降機構３２とから構成してある。
【００１５】
施療機３１は、着座者の背面側をマッサージし得る施療子３１ａと、この施療子３１ａを揺動することができる揺動駆動部３１ｂとを備えたものである。施療子３１ａは、施療機３１から前方に延出したアーム３１ｃの先端に設けたものであり、背凭れ本体２１の外部に突出させてある。すなわち、この施療子３１ａは背凭れ本体２１と張り地２２との間に位置するものである。揺動駆動部３１ｂは、前記アーム３１ｃを揺動することができるものであり、施療機３１に組み込んである。
【００１６】
昇降機構３２は、背凭れ本体２１の内部に設けてある案内レール部材３２ａと、施療機３１に一体的に設けた昇降駆動部３２ｂとから構成してある。案内レール部材３２ａは、上下に延びるものあり、施療機３１の昇降動作を案内する役割を果たす。昇降駆動部３２ｂは、当該昇降駆動部３２ｂを構成するローラにより案内レール部材３２ａを前後に挟み込む等して当該案内レール部材３２ａに係り合わせてある。
【００１７】
しかして、図示しない駆動源により昇降機構３２及び施療機３１を駆動できるようになっており、施療機３１を最高位置と最低位置との間で昇降往復動させることや、施療子３１ａにより着座者に揉みマッサージ及び叩きマッサージ等が行えるようになっている。
【００１８】
そして、本実施の形態においては、図２に示すように、最高位置と最低位置との間において施療機３１が上昇可能な上限位置Ｍを着座者が設定できるようにする施療範囲設定手段４を上記施療手段３に設けている。
【００１９】
この施療範囲設定手段４は、施療機３２ｂの上面に設けた運動方向切換えスイッチ４１と、この運動方向切換えスイッチ４１を入力することができるリミットスイッチ４２と、このリミットスイッチ４２をスライド移動可能にする位置設定手段４３とからなる。
【００２０】
運動方向切換えスイッチ４１は、昇降駆動部３２ｂと電子回路でつながっていおり、当該スイッチ４１を入力することにより施療機３１を下降させることができるものである。
【００２１】
リミットスイッチ４２は、施療機３１が上限位置Ｍに位置した際に前記運動方向切換えスイッチ４１を上方から入力することができるように所定の待機位置に待機させてあり、後述するベルト部材Ｖに取り付けてある。
【００２２】
位置設定手段４３は、リミットスイッチ４２の待機位置を施療機３１の昇降方向に沿ってスライド移動できるものであり、図４に示すように、肘掛けたる側板６に前後スライド可能に設けた操作レバー４３ａと、この操作レバー４３ａとリミットスイッチ４２とをつないで操作レバー４３ａの前後スライド移動をリミットスイッチ４２の上下スライド移動に変換する変換手段４３ｂとから構成してある。
【００２３】
操作レバー４３ａは、側板６の上面６１に形成してある案内溝から上方に突出したものであり、その基端部は後述するベルト部材Ｖに取り付けてある。
【００２４】
変換手段４３ｂは、複数の案内車Ｃ１と、ベルト部材Ｖとから構成してある。
各案内車Ｃ１はそれぞれ、背凭れ２本体の内部における上端部に設けた第１案内車８１、側板６の内部における後端部に設けた第２案内車８２、側板６の内部における前端部に設けた第３案内車８３である。ベルト部材Ｖは、上記３つの案内車８１、８２、８３にケサ掛けしてある環状のものであり、スプリングＳを２箇所に介在させて背凭れ２を図３に示すように傾動させてもベルト部材Ｖの張りが失われないようにしてある。特に、本実施の形態においては、ケサ掛けしたベルト部材Ｖのベルト外側部Ｖ１とベルト内側部Ｖ２のうち、ベルト外側部Ｖ１に操作レバー４３ａを取り付けてあり、ベルト内側部Ｖ２にリミットスイッチ４２を取り付けてある。なお、本実施の形態においては、第１案内車８１の下方に４つ補助案内車Ｃ２を設けてあり、第２案内車８２と第３案内車８３の間に２個の補助案内車Ｃ２を設けてある。
【００２５】
したがって、操作レバー４３ａを前方にスライド移動させると当該スライド移動量分だけリミットスイッチ４２は上昇し、逆に操作レバー４３ａを後方にスライド移動させると当該スライド移動量分だけリミットスイッチ４２は下降することとなる。すわわち、運動方向切換えスイッチ４１が入力されることとなる当該施療機３１の上限位置を変更できることとなる。具体的には、施療子３１ａが最も上昇する位置を低くしたい場合にあっては低くしたい分だけ操作レバー４３ａを後方にスライドさせればよい。逆に、施療子３１ａが最も上昇する位置を高くしたい場合にあっては高くしたい分だけ操作レバー４３ａを前方にスライドさせればよい。
【００２６】
以上に説明したマッサージチェアであれば、リミットスイッチ４２の待機位置は、操作レバー４３ａをスライド移動させた分だけ上下動するようになるので、リミットスイッチ４２が実際に上下動する移動量を確認しながら、上限位置Ｍを設定できるようになる。この結果、最高位置と最低位置との間において施療機３１の上限位置Ｍを無段階に設定することができるようになるとともに施療機３１が前記上限位置Ｍと最低位置との間でのみ昇降往復動させることができるようになる。
【００２７】
なお、本発明は上述した図示例に限られるものではない。例えば、運動方向切換えスイッチを昇降駆動部に直接設けたものとしてもよい。その他、本発明の趣旨を逸脱しない範囲で種々変更可能である。
【００２８】
【発明の効果】
したがって、本発明のマッサージチェアによれば、施療子による施療範囲が自身の体格に依存したものとならないようになり、着座者の肩位置より上のところで空揉みや空叩きをする等の無駄が生じたり、施療子が着座者の肩位置まで到達せず十分なマッサージ効果を与えられなくなったりすることがなくなる。また、施療機が上限位置に位置した際に例えば施療子が腰部等の肩位置以外のところに位置するように設定することもできるようになり、要望する部位を集中的に施療することができるようになる。
【図面の簡単な説明】
【図１】本発明における実施形態のマッサージチェアの内部構造を示す側面図。
【図２】同実施形態のマッサージチェアの内部構造を示す側面図。
【図３】同実施形態のマッサージチェアにおいて背凭れを後方に傾動した時の内部構造を示す側面図。
【図４】同実施形態のマッサージチェアの変換手段を示す模式図。
【符号の説明】
１  座
２  背凭れ
３  施療手段
４  施療範囲設定手段
３１  施療機
３１ａ  施療子
３２  昇降機構
３２ａ  案内レール部材
３２ｂ  昇降駆動部
４１  運動方向切換えスイッチ
４２  リミットスイッチ
４３  位置設定手段
４３ａ  操作レバー
４３ｂ  変換手段
８１（Ｃ１）  案内車
８２（Ｃ１）  案内車
８３（Ｃ１）  案内車
Ｍ  上限位置
Ｖ  ベルト部材
【図１】
0004645874.tif 000002
【図２】
0004645874.tif 000003
【図３】
0004645874.tif 000004
【図４】
0004645874.tif 000005